(57)【要約】【課題】    麺類の炒め物等を自動調理する場合において、調理材料を広げるようにほぐして、焦げ付きを防止するとともに、余分な水分を効率よく蒸発させられる加熱調理装置を提供する。【解決手段】内面に攪拌羽根（３２）を備える調理釜（２）を加熱しながら回転させて、調理釜（２）に投入される調理材料を攪拌羽根（３２）で掬い上げて落下させることを繰り返すことにより加熱調理する加熱調理装置（１）において、攪拌羽根（３２）は、調理釜（２）の回転方向と直交する方向に間隔をおいて複数設けられていることを特徴とする。【選択図】図１
2007275401.tif 000002
【特許請求の範囲】
【請求項１】
横倒し又は傾斜した状態で回転させられるとともに加熱されることで内部に投入される調理材料を加熱調理する調理釜の内面に取り付けられる調理攪拌体であって、
前記調理釜の内面に沿うように取り付けられる羽根接続部と、該羽根接続部に立設させられて、前記回転方向と直交する方向に間隔をおいて設けられる複数の攪拌羽根と、を備えてなることを特徴とする調理攪拌体。
【請求項２】
前記攪拌羽根は、前記回転の中心軸線に向けられていることを特徴とする請求項１に記載の調理攪拌体。
【請求項３】
前記攪拌羽根は、前記羽根接続部から先端に向かうにつれて細くなる先細状に形成されていることを特徴とする請求項２に記載の調理攪拌体。
【請求項４】
前記攪拌羽根は、断面円形の棒状体であることを特徴とする請求項１乃至３のいずれかに記載の調理攪拌体。
【請求項５】
横倒し又は傾斜した状態で回転させられるとともに加熱されることで内部に投入される調理材料を加熱調理する調理釜であって、
その内面に立設させられて、前記回転方向と直交する方向に間隔をおいて設けられる複数の攪拌羽根を備えることを特徴とする調理釜。
【請求項６】
前記攪拌羽根は、前記回転の中心軸線に向けられていることを特徴とする請求項５に記載の調理釜。
【請求項７】
前記攪拌羽根は、前記羽根接続部から先端に向かうにつれて細くなる先細状に形成されていることを特徴とする請求項６に記載の調理釜。
【請求項８】
前記攪拌羽根は、断面円形の棒状体であることを特徴とする請求項５乃至７のいずれかに記載の調理釜。
【請求項９】
前記複数の攪拌羽根を、前記中心軸線を挟んで対向する位置に備えることを特徴とする請求項５乃至８のいずれかに記載の調理釜。
【請求項１０】
前記攪拌羽根は、加熱調理した料理を取り出す開口側に傾斜させられていることを特徴とする請求項５乃至９のいずれかに記載の調理釜。
【請求項１１】
請求項５乃至１０のいずれかに記載の調理釜を備えており、該調理釜を横倒し又は傾斜させて前記中心軸線周りで回転しながら加熱可能であることを特徴とする加熱調理装置。
【請求項１２】
前記調理釜の開口を上方及び下方に向けることができるように、前記調理釜を揺動自在に支持することを特徴とする請求項１１に記載の加熱調理装置。
【請求項１３】
内面に攪拌羽根を備える調理釜を加熱しながら回転させて、前記調理釜に投入される調理材料を前記攪拌羽根で掬い上げて落下させることを繰り返すことにより加熱調理する加熱調理装置において、
前記攪拌羽根は、前記調理釜の回転方向と直交する方向に間隔をおいて複数設けられていることを特徴とする加熱調理装置。
【発明の詳細な説明】
【技術分野】
【０００１】
本発明は、攪拌羽根を備える調理釜を回転させながら加熱することで、調理釜に投入される調理材料を自動的に加熱調理する技術に関する。
【背景技術】
【０００２】
従来、麺類の炒め物等を自動的に調理する加熱調理装置として、調理釜の底部中央を貫通して内側に突出する回転軸に一枚物のプレート型攪拌羽根を取り付けて、釜外部に設けられた原動機で回転させるとともに、釜をヒーターで加熱して、釜に投入された調理材料を加熱調理するものが提案されている（例えば、特許文献１参照。)。
【特許文献１】特開平６−１８１８４８号公報
【発明の開示】
【発明が解決しようとする課題】
【０００３】
しかしながら、上記加熱調理装置で、焼きそば等の麺類の炒め物を調理する場合には、プレート型攪拌羽根で調理材料が一箇所に寄せられて一塊となってしまうため、その塊の外側部分のみが加熱されることになる一方、塊の内側部分に含まれる余分な水分を蒸発させることができずに、麺が焦げ付いたり、べたついたりするという問題がある。
【０００４】
本発明は、斯かる実情に鑑み、麺類の炒め物等を自動調理する場合において、調理材料を広げるようにほぐして、焦げ付きを防止するとともに、余分な水分を効率よく蒸発させられる調理攪拌体、調理釜及び加熱調理装置を提供する。
【課題を解決するための手段】
【０００５】
請求項１の発明は、横倒し又は傾斜した状態で回転させられるとともに加熱されることで内部に投入される調理材料を加熱調理する調理釜の内面に取り付けられる調理攪拌体であって、前記調理釜の内面に沿うように取り付けられる羽根接続部と、該羽根接続部に立設させられて、前記回転方向と直交する方向に間隔をおいて設けられる複数の攪拌羽根と、を備えてなることを特徴とする調理攪拌体を提供する。
【０００６】
請求項２の発明は、前記攪拌羽根は、前記回転の中心軸線に向けられていることを特徴とする請求項１に記載の調理攪拌体を提供する。
【０００７】
請求項３の発明は、前記攪拌羽根は、前記羽根接続部から先端に向かうにつれて細くなる先細状に形成されていることを特徴とする請求項２に記載の調理攪拌体を提供する。
【０００８】
請求項４の発明は、前記攪拌羽根は、断面円形の棒状体であることを特徴とする請求項１乃至３のいずれかに記載の調理攪拌体を提供する。
【０００９】
請求項５の発明は、横倒し又は傾斜した状態で回転させられるとともに加熱されることで内部に投入される調理材料を加熱調理する調理釜であって、その内面に立設させられて、前記回転方向と直交する方向に間隔をおいて設けられる複数の攪拌羽根を備えることを特徴とする調理釜を提供する。
【００１０】
請求項６の発明は、前記攪拌羽根は、前記回転の中心軸線に向けられていることを特徴とする請求項５に記載の調理釜を提供する。
【００１１】
請求項７の発明は、前記攪拌羽根は、前記羽根接続部から先端に向かうにつれて細くなる先細状に形成されていることを特徴とする請求項６に記載の調理釜を提供する。
【００１２】
請求項８の発明は、前記攪拌羽根は、断面円形の棒状体であることを特徴とする請求項５乃至７のいずれかに記載の調理釜を提供する。
【００１３】
請求項９の発明は、前記複数の攪拌羽根を、前記中心軸線を挟んで対向する位置に備えることを特徴とする請求項５乃至８のいずれかに記載の調理釜を提供する。
【００１４】
請求項１０の発明は、前記攪拌羽根は、加熱調理した料理を取り出す開口側に傾斜させられていることを特徴とする請求項５乃至９のいずれかに記載の調理釜を提供する。
【００１５】
請求項１１の発明は、請求項５乃至１０のいずれかに記載の調理釜を備えており、該調理釜を横倒し又は傾斜させて前記中心軸線周りで回転しながら加熱可能であることを特徴とする加熱調理装置を提供する。
【００１６】
請求項１２の発明は、前記調理釜の開口を上方及び下方に向けることができるように、前記調理釜を揺動自在に支持することを特徴とする請求項１１に記載の加熱調理装置を提供する。
【００１７】
請求項１３の発明は、内面に攪拌羽根を備える調理釜を加熱しながら回転させて、前記調理釜に投入される調理材料を前記攪拌羽根で掬い上げて落下させることを繰り返すことにより加熱調理する加熱調理装置において、前記攪拌羽根は、前記調理釜の回転方向と直交する方向に間隔をおいて複数設けられていることを特徴とする加熱調理装置を提供する。
【発明の効果】
【００１８】
本発明の請求項１に記載の調理攪拌体によれば、下記の優れた効果を奏し得る。横倒し又は傾斜した状態で回転させられる調理釜の内面に取り付ける調理攪拌体に、その回転方向と直交する方向に間隔をおいて設けられる複数の攪拌羽根を備えたので、釜に投入された調理材料は、各攪拌羽根に分割された状態で掬い上げられる。その結果、調理材料が広げられるようにほぐされて、焦げ付き防止と余分な水分の蒸発が図られる。特に、麺類の炒め物の場合には、麺類が攪拌羽根で掬い上げられる際に、各攪拌羽根の間から垂れ下がるため、箸等でかき混ぜるのと同様の水分蒸発効果を期待できる。
【００１９】
本発明の請求項２に記載の調理攪拌体によれば、請求項１に記載の調理攪拌体が奏し得る効果に加えて、下記の優れた効果を奏し得る。攪拌羽根が回転の中心軸線に向けられているので、麺類等の調理材料は、掬い上げられて上方移動したときに確実に落下する。これにより、調理材料を確実に上下反転させて、焦げ付きを防止することができる。
【００２０】
本発明の請求項３に記載の調理攪拌体によれば、請求項２に記載の調理攪拌体が奏し得る効果に加えて、下記の優れた効果を奏し得る。攪拌羽根が、羽根接続部から先端に向かうにつれて細くなる先細状に形成されているので、掬い上げられた麺類等の調理材料を確実に離脱させることができる。
【００２１】
本発明の請求項４に記載の調理攪拌体によれば、請求項１乃至３のいずれかに記載の調理攪拌体が奏し得る効果に加えて、下記の優れた効果を奏し得る。攪拌羽根が断面円形の棒状体であるため、麺類等の調理材料が掬い上げられたときに、自らの重みで攪拌羽根に切断されることが防止される。
【００２２】
本発明の請求項５に記載の調理釜によれば、下記の優れた効果を奏し得る。横倒し又は傾斜した状態で回転させられる調理釜の内面に、その回転方向と直交する方向に間隔をおいて設けられる複数の攪拌羽根を備えたので、釜に投入された調理材料は、各攪拌羽根に分割された状態で掬い上げられる。その結果、調理材料が広げられるようにほぐされて、焦げ付き防止と余分な水分の蒸発が図られる。特に、麺類の炒め物の場合には、麺類が攪拌羽根で掬い上げられる際に、各攪拌羽根の間から垂れ下がるため、箸でかき混ぜるのと同様の水分蒸発効果を期待できる。
【００２３】
本発明の請求項６に記載の調理釜によれば、請求項５に記載の調理釜が奏し得る効果に加えて、下記の優れた効果を奏し得る。攪拌羽根が回転の中心軸線に向けられているので、掬い上げられた調理材料は上方へ移動したときに落下する。これにより、調理材料を確実に上下反転させて、焦げ付きを防止する。
【００２４】
本発明の請求項７に記載の調理釜によれば、請求項６に記載の調理釜が奏し得る効果に加えて、下記の優れた効果を奏し得る。攪拌羽根が、調理釜の内面から先端に向かうにつれて細くなる先細状に形成されているので、掬い上げられた調理材料を、確実に離脱させることができる。
【００２５】
本発明の請求項８に記載の調理釜によれば、請求項５乃至７のいずれかに記載の調理釜が奏し得る効果に加えて、下記の優れた効果を奏し得る。攪拌羽根が断面円形の棒状体であるため、麺類等の調理材料が掬い上げられたときに、自らの重みで攪拌羽根に切断されることが防止される。
【００２６】
本発明の請求項９に記載の調理釜によれば、請求項５乃至８のいずれかに記載の調理釜が奏し得る効果に加えて、下記の優れた効果を奏し得る。複数の攪拌羽根を、回転の中心軸線を挟んで対向する位置に備えるので、一方の攪拌羽根群で掬い上げられて、上方まで移動した後に落下した調理材料は、すぐに対向する反対側の攪拌羽根群で掬い上げられるため、上下反転及び水分蒸発が効率的に行われて調理時間が短縮される。
【００２７】
本発明の請求項１０に記載の調理釜によれば、請求項５乃至９のいずれかに記載の調理釜が奏し得る効果に加えて、下記の優れた効果を奏し得る。攪拌羽根が加熱調理した料理を取り出す開口側に向けられているので、調理釜の開口を下方に向けることで、料理を容易に取り出すことができる。
【００２８】
本発明の請求項１１に記載の加熱調理装置によれば、請求項５又は１０のいずれかに記載の調理釜が奏し得る効果と同様の優れた効果を奏し得る。また、本発明の請求項１２に記載の加熱調理装置によれば、請求項１１に記載の加熱調理装置が奏し得る効果に加えて、下記の優れた効果を奏し得る。調理釜の開口を上方及び下方に向けることができるように揺動自在に支持されているので、調理釜の回動により、調理材料の投入及び調理した料理の取り出しを容易に行うことができる。
【００２９】
本発明の請求項１３に記載の加熱調理装置によれば、下記の優れた効果を奏し得る。
回転する調理釜の内面に、回転方向と直交する方向に間隔をおいて複数の攪拌羽根を設け、それによって調理材料の掬い上げと落下を繰り返すので、調理材料が各攪拌羽根で分割されることにより広げられるようにほぐされた状態で反転されて、焦げ付き防止と水分の蒸発が図られる。特に、麺類の炒め物の場合は、掬い上げられる際に、各攪拌羽根の間から麺類が垂れ下がるため、箸でかき混ぜるのと同様の水分蒸発効果を期待できる。
【発明を実施するための最良の形態】
【００３０】
以下、本発明の実施の形態について図面を参照しながら説明する。図１は、本実施形態に係る加熱調理装置１を示す正面図、図２は側面図である。図３は、加熱調理装置１に備えられる調理釜２を示す正面図、図４は側面図である。図５は、調理釜２に取り付けられる調理攪拌体３を示し、（ａ）は側面図、（ｂ）は（ａ）のＢ視図である。
【００３１】
〔加熱調理装置１〕
図１及び図２に示される加熱調理装置１は、調理釜２と、調理釜２の内面に取り付けられる調理攪拌体３（図２では省略）と、調理釜２を回転自在に支持する支持部４と、調理釜２を外部から加熱する電磁誘導加熱コイル５（図１では省略）と、調理釜２を回転させる調理釜用原動機６と、支持部４を上下方向に回動自在に支持する基台部７と、基台部７に設けられて支持部４を上下方向に回動させる支持部用原動機８と、を備えてなり、調理釜２を電磁誘導加熱コイル５で加熱しながら調理釜用原動機６で回転させて、調理釜２の内部に投入された調理材料を、調理攪拌体３に備えられる複数の攪拌羽根３２（図３〜図５参照）で掬い上げて落下させることを繰り返すことにより加熱調理する。
【００３２】
〔調理釜２〕
調理釜２は、図３及び図４に示されるように、球面状の底部２１に円筒状の側部２２を連結してなり、側部２２側の端部に開口２ａを備える強磁性金属ドラムである。底部２１の中央外側には、中心軸線Ｃ１に沿って延びるシャフト２３が設けられる。シャフト２３は支持部４に回転自在に支持され、先端には後述する従動プーリー２４が取り付けられる。なお、調理釜２の内面は、フッ素樹脂でコーティングされ、調理材料の焦げ付き防止が図られている。
【００３３】
〔調理攪拌体３〕
調理攪拌体３は、図５に示されるように、帯板を円弧状に湾曲形成してなる羽根接続部３１と、羽根接続部３１において櫛歯状に立設される複数の攪拌羽根３２と、を備えてなる。羽根接続部３１は、図３及び図４に示されるように、調理釜２の底部２１の内面に沿うように、かつ、調理釜２の回転方向と直交する方向に延びるように、中心軸線Ｃ１を挟んで相対向する二箇所（複数位置）に、リベット等で取り付けられる。複数の攪拌羽根３２は、羽根接続部３１が延びる方向、すなわち調理釜２の回転方向と直交する方向に間隔をおいて一列に配置される。
【００３４】
各攪拌羽根３２ａ〜３２ｅは、断面円形の棒状体であって、図５に示されるように、相互に略平行となる向きに真直ぐ延びるとともに、羽根接続部３１から先端に向かうにつれて細くなる先細の円錐台状に形成されている。また、各攪拌羽根３２ａ〜３２ｅは、調理釜２に取り付けられた状態で、図３及び図４に示されるように、先端が中心軸線Ｃ１及び開口２ａ側に向けられる斜め方向に取り付けられている。なお、調理攪拌体３は、調理釜２の内面と同様にフッ素樹脂でコーティングされている。
【００３５】
〔支持部４〕
支持部４は、図１及び図２に示されるように、調理釜２をその開口２ａを露出させた状態で収容する箱状体で、シャフト２３を回転自在に支持する。また、支持部４には、調理釜２を加熱するヒーターとしての電磁誘導加熱コイル５と、調理釜２を中心軸線Ｃ１中心に回転させる調理釜用原動機６が設けられる。
【００３６】
〔電磁誘導加熱コイル５〕
電磁誘導加熱コイル５は、調理釜２の外表面に近接して設けられ、後述する基台部本体７１に設けられるインバータ７４から給電され、調理釜２を外部から加熱する。なお、インバータ７４は、調理釜２に投入される調理材料や調理釜２の測定温度に応じて、加熱温度や加熱パターンを変更可能にプログラム設定されている。
【００３７】
〔調理釜用原動機６〕
調理釜用原動機６は、電気回転モーターであって、シャフト２３と動力伝導機構で連結される。この動力伝導機構は、シャフト２３に取り付けられる従動プーリー２４と、調理釜用原動機６に取り付けられる原動プーリー６１と、これらのプーリーに巻き掛けされる伝動ベルト６２と、で構成される。なお、調理釜用原動機６は、調理釜２の回転速度を適宜調整可能とされている。
【００３８】
〔基台部７〕
基台部７は、床面等に設置する基台部本体７１と、基台部本体７１の両端に立設され、支持部４を掛け渡すように、かつ、上下方向に回動自在に軸受支持する第一柱状部７２と第二柱状部７３を備えてなる。第一柱状部７２には、支持部４を支持軸線Ｃ２回りで回動させる支持部用原動機８が設けられている。
【００３９】
〔支持部用原動機８〕
支持部用原動機８は、電気回転モーターであって、オペレーターによる操作又は自動で、支持部４とこれに支持される調理釜２を支持軸線Ｃ２回りに上下回動させて、図２に２Ａで示される（開口２ａが上方に向けられる）状態と２Ｂで示される（開口２ａが下方に向けられる）状態との間で姿勢を変更することができる。
【００４０】
〔加熱調理装置１による加熱調理〕
上記加熱調理装置１で焼きそばを加熱調理する手順を以下に説明する。まず、調理釜２の開口２ａを上方に向けた状態で、オペレーターが調理材料となる油、そば、野菜、肉、調味料等を調理釜２に投入する。次に、調理釜２を電磁誘導加熱コイル５で加熱しながら、調理釜用原動機６で回転させる。これにより、調理釜２の内面の二箇所に設けられる攪拌羽根３２が、調理材料を交互に掬い上げて落下させることを所定時間繰り返し、加熱調理を行う。調理終了後、調理釜２の開口２ａを下方に向けて、料理を排出する。
【００４１】
〔加熱調理装置１の特徴点〕
上記実施形態に係る加熱調理装置１は、下記のような特徴点を有する。
【００４２】
第一に、加熱調理装置１は、図２に２Ａで示されるように傾斜した状態で回転させられる調理釜２の内面に、調理釜２の回転方向と直交する方向に間隔をおいて櫛歯状に立設される複数の攪拌羽根３２が備えられているという特徴点を有する。これにより、投入された調理材料を、攪拌羽根３２ａ〜３２ｅによって分割した状態で掬い上げて、広げるようにほぐして、焦げ付き防止と余分な水分の蒸発を図ることができる。特に、麺類の炒め物は、攪拌羽根で掬い上げられる際に、各攪拌羽根の間から垂れ下がって、箸等でかき混ぜる場合と同様に余分な水分を蒸発させることができる。
【００４３】
第二に、加熱調理装置１は、攪拌羽根３２ａ〜３２ｅが調理釜２の回転中心となる中心軸線Ｃ１に向けられているという特徴点を有する。これにより、各攪拌羽根３２ａ〜３２ｅで掬い上げられた調理材料は上方移動した後で落下して、確実に上下反転させられ焦げ付きが防止される。
【００４４】
第三に、加熱調理装置１は、攪拌羽根３２ａ〜３２ｅが調理釜２の内面から先端に向かうにつれて細くなる先細状に形成されているという特徴点を有する。すなわち、各攪拌羽根３２ａ〜３２ｅは、掬い上げた調理材料を回転によって上方移動させる過程で、接触抵抗を小さくするフッ素樹脂コーティング加工と相俟って、調理材料、特に麺類を、太くて調理材料との接触面積が小さい根元側から、細くて調理材料との接触面積が小さい先端側へ滑らせてスムーズに落下させることができる。
【００４５】
第四に、加熱調理装置１は、攪拌羽根３２ａ〜３２ｅが断面円形の棒状体であるという特徴点を有する。これにより、各攪拌羽根で掬い上げられた麺類等の調理材料が、自らの重みで攪拌羽根によって切断されることが防止される。
【００４６】
第五に、加熱調理装置１は、複数の攪拌羽根３２が、中心軸線Ｃ１を挟んで対向する二箇所に備えられるという特徴点を有する。これにより、一方の攪拌羽根群で掬い上げられて、上方まで移動した後に落下した調理材料は、すぐに対向する反対側の攪拌羽根群で掬い上げられるため、上下反転及び水分蒸発が効率的に行われて調理時間が短縮される。なお、最も接近した位置で相対向する攪拌羽根３２ｅは、それらの間で麺が固まってしまわないように短めに形成されている。
【００４７】
第六に、加熱調理装置１は、調理釜２の開口２ａを上方及び下方に向けることができるように揺動自在に支持されているという特徴点を有する。調理釜２の回動により、開口２ａを上方に向けて調理材料を投入し、こぼれないように加熱調理することができ、また、開口２ａを下方に向けて調理済みの料理を容易に取り出すことができる。
【００４８】
第七に、加熱調理装置１は、攪拌羽根３２ａ〜３２ｅが加熱調理した料理を取り出す開口２ａ側に向けられているという特徴点を有する。これにより、調理釜２の開口２ａを下方に向けて料理を取り出すときに、料理が攪拌羽根からスムーズに抜け落ちて調理釜２の外へ引っかかりなく容易に取り出すことができる。
【００４９】
〔上記実施形態の変形例〕
上記実施形態に係る加熱調理装置１では、調理釜２を球面状の底部２１と円筒状の側部２２を連結した形状としたが、これに限らず、単なる有底円筒形状や半球形状としても良い。また、調理釜２は、調理材料が開口２ａからこぼれ出ないように上向きに傾斜させた状態で回転させることとしたが、開口２ａの内周縁部にストッパーを設けたり、回転中に開口２ａが閉じたりすることにより、横倒しや開口２ａを下向きにして回転させることもできる。
【００５０】
上記実施形態に係る加熱調理装置１では、調理攪拌体３を取り付けることで複数の攪拌羽根３２を調理釜２の内面に立設させることとしたが、複数の攪拌羽根３２を直接、調理釜２の内面に取り付けても良い。その他、本発明の加熱調理装置は、上記実施形態に限定されるものではなく、本発明の要旨を逸脱しない範囲内において種々変更を加え得ることは勿論である。
【図面の簡単な説明】
【００５１】
【図１】本実施形態に係る加熱調理装置を示す正面図。
【図２】本実施形態に係る加熱調理装置を示す側面図。
【図３】本実施形態に係る調理釜を示す正面図。
【図４】本実施形態に係る調理釜を示す側面図。
【図５】本実施形態に係る調理攪拌体を示す（ａ）側面図、及び（ｂ）（ａ）のＢ視図。
【符号の説明】
【００５２】
１    加熱調理装置
２    調理釜
３    調理攪拌体
３１    羽根接続部
３２    攪拌羽根
５    電磁誘導加熱コイル
６    調理釜用原動機
７    基台部
８    支持部用原動機
Ｃ１    中心軸線
【図１】
2007275401.tif 000003
【図２】
2007275401.tif 000004
【図３】
2007275401.tif 000005
【図４】
2007275401.tif 000006
【図５】
2007275401.tif 000007